(57)【要約】サッカー用練習装置（１）が開示されており、これには、シャシー（１０）と、使用者を部分的に取り囲むために作動可能な形態に構成された複数の接触部材（３）とが含まれている。それぞれの接触部材（３）には、それに結合されて任意の順序あるいは事前設定された順序に従って使用者により作動することのできる視覚的表示部（４）が備わっている。それぞれの接触部材（３）には切換手段（３５，３６）が結合されており、この切換手段（３５，３６）は、接触部材（３）が使用者によって蹴られたときに視覚的表示部（４）を非作動状態にするように作用することができ、また、制御手段（５０）は、ある視覚的表示部（４）が非作動状態にされたときにそれを検知するとともに、前記順序における次の視覚的表示部（４）を作動状態にする。それぞれの接触部材（３）は、シャシー（１０）に枢動状に装着されたロッカーアーム（２２）に取り付けられており、また、切換手段（３５，３６）は、ロッカーアーム（２２）におけるアクチュエーター（３５）と、シャシー（１０）におけるセンサー（３６）とからなり、これらは、接触部材（３）が使用者によって蹴られたときに、アクチュエーター（３５）の動きがセンサー（３６）によって検知されて視覚的表示部（４）を非作動状態にするものである。
2005505389.tif 000002
【特許請求の範囲】
【請求項１】
この発明によれば、シャシーと、使用者を少なくとも部分的に取り囲むためにこのシャシーの上に作動可能な形態に配置された複数の接触部材とを含んでなり、それぞれの接触部材が、接触部材に結合され任意の順序あるいは事前設定された順序で使用者が作動状態にすることのできる視覚的表示部と、それぞれの接触部材に結合され、ある接触部材が使用者によって蹴られたときに前記の結合された視覚的表示部を非作動状態にすることができる切換手段と、ある視覚的表示部が非作動状態になったことを検知するとともに前記順序で次の視覚的表示部を作動状態にするための制御手段とを有しており、それぞれの接触部材は、前記シャシーに枢動状に装着されたロッカーアームに取り付けられ、かつ、切換手段は、ロッカーアームにおけるアクチュエーターとハウジングにおけるセンサーとを、接触部材が使用者によって蹴られたときにそのアクチュエーターの動きがそのセンサーによって検知されて視覚的表示部を非作動状態にするように備えているサッカー用練習装置が提供される。
【請求項２】
センサーが、光学センサーからなり、アクチュエーターが、遮断要素であり、この構成は、ボールパッドが蹴られるのに応じてそのセンサーによって発生した光のビームをこの遮断要素が動いて中断するようなものであり、前記中断が、そのセンサーによって検知される請求項１に記載の装置。
【請求項３】
ロッカーアームは、遮断要素が光ビームを中断しない静止位置へロッカーアームを偏倚させるために、偏倚手段を含んでいる請求項２に記載の装置。
【請求項４】
偏倚手段が、ロッカーアームとシャシーとの間に配置された弾性圧縮性部材である請求項３に記載の装置。
【請求項５】
ボールパッドが蹴られた後のロッカーアームの跳ね返りを制限するために、当たり止めを含んでいる先行請求項のいずれか１つに記載の装置。
【請求項６】
前記当たり止めが、ロッカーアームにおける穴を通ってシャシーから直立しているロッドと、このロッドに取り付けられたロッカーアーム拘束手段とからなっている請求項５に記載の装置。
【請求項７】
ロッドには雄ねじが切られ、かつ、ロッカーアーム拘束手段が、ロッカーアームにおける穴を通って突出しているロッドの一部にねじ合せ状に収容されたナットからなっている請求項６に記載の装置。
【請求項８】
ロッカーアームが、前記圧縮性部材によって同ナットへ向けて常時偏倚されている請求項７に記載の装置。
【請求項９】
ナットとロッカーアームとの間に減衰部材が配置されている請求項７または請求項８に記載の装置。
【請求項１０】
接触部材が、発泡ポリウレタンからなる芯を有している先行請求項のいずれか１つに記載の装置。
【請求項１１】
取り外し可能に取り付けることのできる複数のモジュールを備え、それぞれのモジュールが少なくとも１つの接触部材を含んでいる先行請求項のいずれか１つに記載の装置。
【請求項１２】
モジュールのそれぞれの端部に、隣接するモジュールへ取り付けるための協働手段が設けられている請求項１０に記載の装置。
【請求項１３】
協働手段が、隣接するモジュールにおけるほぞ穴に蟻継ぎされる、１つのモジュールにおけるほぞからなっている請求項１０に記載の装置。
【請求項１４】
協働手段が、電気コネクターを組み込んでいる請求項１２に記載の装置。
【請求項１５】
制御手段が、１つのモジュールの自由端に取り外し可能に取り付けることのできる制御ユニットである請求項１０〜１４のいずれか１つに記載の装置。
【請求項１６】
モジュールが、互いに協働して、使用者をアーチ状形態に部分的に取り囲む請求項８に記載の装置。
【請求項１７】
制御ユニットが、コンピュータの中央処理装置と、１つ以上のコンピュータ用プログラムと、記憶装置に記憶されたプログラムを選択するためのユーザーインターフェイスとからなっている先行請求項のいずれか１つに記載の装置。
【請求項１８】
シャシーと、このシャシーの上における、それぞれが視覚的表示部を有している複数の接触部材とを備えてなるサッカー用練習装置とともに用いられるコンピュータ用プログラムであって、そのプログラムは、任意の順序あるいは事前設定された順序で視覚的表示部を作動状態にするために、コンピュータの中央処理装置において実施されるときに作動することのできるものであり、それぞれの接触部材に結合された切換手段は、接触部材が使用者によって蹴られたときに結合された視覚的表示部を非作動状態にすることのできるものであり、そのプログラムは、次の視覚的表示部を前記順序で作動状態にすることのできるものでもあるコンピュータ用プログラム。
【請求項１９】
添付図面を参照してこの明細書においてこれまでに実質的に記載された装置。
【発明の詳細な説明】
【技術分野】
【０００１】
この発明はサッカー用練習装置に関するものである。この発明はさらに詳しくは、サッカー選手の技能および反応性を向上させるとともに評価するための装置に関するものである。
【背景技術】
【０００２】
多くのスポーツでは、いくつかの相異なる動きを機敏にかつ続けざまに行うために、仲間が必要である。例えばサッカーでは、ボールのパス、タックルおよび獲得にかなりの程度の技能が必要であり、また、仲間が試合をうまく行っているかどうかのすばやい判断が必要である。サッカーをしているときにしばしば起きる型の運動を行っている仲間の熟練は、彼らの連係、反射神経、平衡性、スピードおよび適性によって左右されるのが普通であり、また、その熟練には、充分な技量水準になるまで、これらの技能を身につけて必要な適性水準を得るために、かなり長い時間と経験と集中的な練習とが必要である。
【発明の開示】
【発明が解決しようとする課題】
【０００３】
練習の主要な形態には、他のどのような型の練習も、充分に実際的なものでないか、あるいは必要な技能を開発する点に特に向けられていないおそれがあるため、できるだけ多く実際にサッカーの試合をすることが含まれる。しかしながら、レギュラーで試合をする機会が常に生じるとはいえず、また、そのような一般的適性練習の他の形態を代わりに保証しなければならない。これによって、その選手の全体的適性の向上が行われるものの、サッカー選手が彼らの技術および能力を急いで向上させる必要があるときには、彼らが持っていなければならない基本的技能は一般には開発されない。
【０００４】
さらにまた、サッカー選手に対して、ある一定期間にわたって彼らの能力を正確に監視して評価し、それによって彼らの長所および短所を指摘し、かつ、向上およびさらに別の練習が必要である領域を指示して、試合の全領域における彼らの技能の開発を可能にすることは不可能である。
【０００５】
この発明の１つの目的は、前記の問題点を克服するかあるいは実質的に減少させることである。
【課題を解決するための手段】
【０００６】
この発明によれば、シャシーと、使用者を少なくとも部分的に取り囲むためにこのシャシーの上に作動可能な形態に配置された複数の接触部材とを含んでなり、それぞれの接触部材が、接触部材に結合され任意の順序あるいは事前設定された順序で使用者が作動状態にすることのできる視覚的表示部と、それぞれの接触部材に結合され、ある接触部材が使用者によって蹴られたときに前記の結合された視覚的表示部を非作動状態にすることができる切換手段と、ある視覚的表示部が非作動状態になったことを検知するとともに前記順序で次の視覚的表示部を作動状態にするための制御手段とを有しており、それぞれの接触部材は、前記シャシーに枢動状に装着されたロッカーアームに取り付けられ、かつ、切換手段は、ロッカーアームにおけるアクチュエーターとハウジングにおけるセンサーとを、接触部材が使用者によって蹴られたときにそのアクチュエーターの動きがそのセンサーによって検知されて視覚的表示部を非作動状態にするように備えているサッカー用練習装置が提供される。
【０００７】
好ましい１つの実施形態では、前記センサーは光学センサーからなり、前記アクチュエーターは遮断要素（ｂｌｏｃｋｉｎｇ  ｍｅａｎｓ）からなり、この構成は、ボールパッドが蹴られるのに応じてそのセンサーによって発生した光のビームをその遮断要素が動いて中断する（ｉｎｔｅｒｒｕｐｔ）ようなものであり、この中断はそのセンサーによって検知される。
【０００８】
ロッカーアームには、遮断要素が光ビームを中断しない静止位置へロッカーアームを偏倚させる（ｂｉａｓ）ための偏倚手段が含まれているのが好ましい。
【０００９】
この偏倚手段は、ロッカーアームとシャシーとの間に配置された弾性圧縮性部材からなっているのが好ましい。
【００１０】
ボールパッドが蹴られた後のロッカーアームの跳ね返りを制限するために、当り止めが設けられているのが好ましい。
【００１１】
１つの実施形態では、この当り止めは、ロッカーアームにおける穴を通ってシャシーから直立しているロッドと、このロッドに取り付けられたロッカーアーム拘束手段とからなっている。
【００１２】
このロッドには雄ねじが切られ、かつ、ロッカーアーム拘束手段が、ロッカーアームにおける穴を通って突出しているロッドの一部にねじ合せ状に収容されたナットからなっているのが好ましい。
【００１３】
好ましい１つの実施形態では、ロッカーアームは、前記圧縮性部材によって同ナットへ向けて常時偏倚されている。
【００１４】
ナットとロッカーアームとの間には減衰部材が配置されているのが好ましい。
【００１５】
接触部材には、発泡ポリウレタンからなる芯が備わっているのが好ましい。
【００１６】
この装置は、取り外し可能に取り付けることのできる複数のモジュールから形成され、それぞれのモジュールに少なくとも１つの接触部材が含まれているのが好ましい。これらのモジュールは、互いに協働して、使用者をアーチ状形態に部分的に取り囲む。
【００１７】
１つの実施形態では、モジュールのそれぞれの端部に、隣接するモジュールへ取り付けるための協働手段が設けられている。
【００１８】
この協働手段は、隣接するモジュールにおけるほぞ穴に蟻継ぎされる、１つのモジュールにおけるほぞからなっているのが好ましい。
【００１９】
好ましい１つの実施形態では、制御手段は、１つのモジュールの自由端に取り外し可能に取り付けることのできる制御ユニットである。
【００２０】
この制御ユニットは、コンピュータの中央処理装置と、１つ以上のコンピュータ用プログラムと、記憶装置に記憶されたプログラムを選択するためのユーザーインターフェイスとからなっているのが好ましい。
【００２１】
この発明によれば、シャシーと、このシャシーの上における、それぞれが視覚的表示部を有している複数の接触部材とを備えてなるサッカー用練習装置とともに用いられるコンピュータ用プログラムであって、そのプログラムは、任意の順序あるいは事前設定された順序で視覚的表示部を作動状態にするために、コンピュータの中央処理装置において実施されるときに作動することのできるものであり、それぞれの接触部材に結合された切換手段は、接触部材が使用者によって蹴られたときに結合された視覚的表示部を非作動状態にすることのできるものであり、そのプログラムは、次の視覚的表示部を前記順序で作動状態にすることのできるものでもあるコンピュータ用プログラムもまた提供される。
【００２２】
この発明のいくつかの実施形態は、添付図面を参照して、例示だけの目的で、これから説明される。
【発明を実施するための最良の形態】
【００２３】
さて、図面を参照すると、サッカー選手のための反射・反応性訓練システム１が示されており、このシステムには本体２が備わっており、この本体２には、その表面に取り付けられたボールパッド３の形態にある、互いに間隔を置いて配置された５つの接触部材と、それぞれのボールパッド３に隣接してこの本体２の内側に取り付けられた、発光体の形態にある視覚的表示部４とがある。
【００２４】
本体２には、複数の個別のモジュール５（図２を参照）が備わっており、これらのモジュール５は、ボールパッド３がアーチ状の形態に配置されるように、また、図１においてしるしの付けられた場所Ｘの領域に普通は立っているであろうこの装置の使用者を部分的に取り囲むように、組み合わされている。それぞれのモジュール５には、中央ハブ部分６が備わっており、この部分には、中央ハブ部分６の前方に配置された１つのボールパッド３を部分的に取り囲むように、中央ハブ部分６のいずれの側部からもある角度で突出する一対の間隔配置用アーム７，８が備わっている。
【００２５】
１つのモジュール５の自由端には、使用者がこの装置の操作を制御することができ、その結果、使用者がＬＣＤディスプレーによって自分の得点の表示を得ることができる制御モジュール５０が取り付けられている。この制御モジュール５０には、ボールパッド３を事前設定された順序あるいは任意の順序で点灯させるさまざまに異なるプログラムを制御するために必要な電子機器とソフトウェアとが内蔵されている。この制御モジュール５０はまた、それぞれのボールパッド３が蹴られた結果、その順序における次のパッド３が点灯するときに、それぞれのボールパッド３から信号を受ける。制御ユニット５０には電力が供給されるようになっており、また、それぞれのモジュール５は、アーム７，８の端部に配置された電気コネクター（図示略）によって、その隣りのモジュールに電気的に接続されている。
【００２６】
図３の分解図からわかるように、モジュール５は、上方収納部９とこの上方収納部９が取り付けられるシャシー１０とからなる２つの主要部品から形成されている。上方収納部９には、中央ハブ６が組み込まれているとともに、中央ハブ６に隣接するその上縁部に細長い穴１１がある。これらの穴１１の中に設置される視覚的表示部４は、一列のＬＥＤ１２と結合された反射鏡１３とからなっている。これらのＬＥＤ１２および反射鏡１３は、穴１１の中に留められる色付きレンズ１４によって覆われている。ハブ６には、平坦な前方向き面１５が備わっており、その面１５には一対の切欠１６が形成されているが、その理由は後に明らかになる。収納部９の一方端部には、ほぞ、すなわち突出部分１７が備わっており、このほぞは、隣接するモジュール５（図示略）における協働用ほぞ穴、すなわちくぼみに蟻継ぎされて、一連のモジュールが互いに取り付けられ、図１のアーチ状形態が形成される。このような１つのくぼみ、すなわちほぞ穴１８は、モジュール５の反対側端部に形成されている。
【００２７】
シャシー１０は、ほぼ平坦なシートから形成されている。図３に示されるように、取付用ボス４０が穴４１に納められている。この装置を定位置にいっそう確実に維持するために、いくつかの棒（図示略）を、これらのボス４０に通して、この装置が設置される面の下側における地面の中へ、差し込むこともできる。シャシー１０には、中央ハブ６の下側における領域でこのシャシーに取り付けられた細長い取付用プレート１９も備わっている。このプレート１９は、ハブ６の前方向き面１５における切欠１６から突出しているとともに、上向きの長手縁部２０を有している。ハブ６から遠い方のプレート１９の一方端部に近い上向き縁部２０には、軸心が合わされた穴２１が設けられている。このプレート１９の上には、Ｌ字形の細長いロッカーアーム２２が載置されており、このロッカーアーム２２は、プレート１９の長手縁部２０の上方に位置する、下方へ垂れている側方縁部２３を有している。プレート１９と同様に、ロッカーアーム２２は、中央ハブ６の前方面１５における切欠１６を通って延びている。ロッカーアーム２２の上壁には、切欠１６どうしの間における前方面１５の一部を収納するために、開口２４がある。側方縁部２３からは一対のタブ２５が垂れ下がっており、これらのタブ２５には穴２６があり、ロッカーアーム２２がプレート１９の上に置かれたときに、穴２１と穴２６がすべて軸心合わせされるようにされている。これらの穴２１，２６には、ロッカーアーム２２をプレート１９に取り付けてロッカーアーム２２が枢軸２７の周りに枢動することができるようにするために、ピン（図示略）が嵌められている。
【００２８】
ロッカーアーム２２には、直立状の前壁部分２８があり、サッカー用ボールに似るように設計されたボールパッド３が取り付けられるようになっている。パッド３は、皮製あるいはプラスチック製の外側覆い２９と、発泡ポリウレタン製の内側芯３０とからなっている。このパッド３は、ロッカーアーム２２の前壁部分２８へ取り付けることができるように、その一部が取り除かれているため、図２に最もはっきりと示されたように、中央ハブ６の前方に位置している。
【００２９】
枢軸２７から遠い方のロッカーアーム２２の反対側端部は、ハブ６の中へ延びており、その下面が、弾性圧縮性部材、すなわち減衰用ブロック３１に載置されている。シャシー１０には、跳ね返り拘束ロッド３２が取り付けられており、このロッド３２は、ロッカーアーム２２の上壁における穴を通ってシャシー１０から直立している。ロッド３２の端部には、ナット３３とアンチノックゴム製ワッシャー３４とが、ロッカーアーム２２を覆って取り付けられている。
【００３０】
ハブ６の内側では、ロッカーアーム２２の端部から、アクチュエーターすなわち遮断部材３５が突出している。また、光学センサー３６が、シャシー１０から直立しているセンサー支持柱３７に取り付けられている。このセンサー３６は、ロッカーアーム２２が軸２７の周りに枢動するときにアクチュエーター３５と相互に作用するように、位置決めされているが、これについてはこれから説明される。
【００３１】
この練習装置の操作法および使用法は、これから説明される。使用者がこの装置の使用を開始するときには、使用者は、制御ユニット５０によって最初に選択されたプログラムが備わっている、ボールパッド３の列に向かって立つ。あるボールパッド３に近い発光体４が点灯すると、使用者は、その発光体４を消灯させて信号を制御モジュール５０へ送るために、できるだけ急いでその関連パッド３を蹴り、その結果、成功した当りが記録されて、別の発光体が作動する。使用者の動作があまりにも遅いときには、その発光体は、どんな当りも記録されることなく、消灯する。発光体４は、任意のパターンかあるいは事前設定された順序かのいずれかによって、点灯されてもよい。選手は、ある使用法が自分の弱い方の足を改善することを意図したものになるようにするため、一方側面へ向いた発光体４が他方側面へ向いた発光体４よりも多く作動するように「ボール偏向」を任意に選択することもできる。
【００３２】
ボールパッド３が蹴られるときのセンサー３６の起動は、これから説明される。ボールパッド３が使用者によって蹴られると、それが取り付けられているロッカーアーム２２は、図４における矢印Ａによって表示された方向へ枢軸２７の周りに枢動する。これにより、アクチュエーター３５は、図４における矢印Ｂによって表示されたアーチ形経路を下方へ動くことになる。アクチュエーター３５は光学センサー３６によって発生した光ビームを中断しあるいは遮断し、それによって、信号を主制御ユニット５０へ送り、そのユニット５０においてその信号がどのボールパッド３に送られたかを識別することで、そのキックが記録される。センサー３６は、タイミングおよび速度のような付加的情報を記録するように修正変更することもできる。ロッカーアーム２２が枢動すると、減衰用弾性ブロック３１が圧縮される。アクチュエーター３５によって光ビームが遮断された後に、減衰用ブロック３１によってロッカーアーム２２が偏倚され、ロッカーアーム２２はその初めの静止位置へ戻る。ロッカーアーム２２の動き過ぎは、跳ね返り拘束ロッド３２とロッカーアーム２２の振動を減衰させるその関連アンチノックゴム製ワッシャー３４とによって、防止される。
【００３３】
拘束ロッド３２の上でナット３３を締めることによってロッカーアーム２２の動きの自由度を調整することができる、ということは認識されるであろう。ロッカー枢軸２７の正確な位置は、ボールパッド３が蹴られるときの相異なる目標、感覚および反応を受け入れるように、調節することもできる。
【００３４】
この光学センサー３６は必須のものでなく、別の型のセンサー装置で置き換えてもよい、ということは認識されるであろう。
【００３５】
制御モジュール５０には、ボールパッド３が選手によってうまくたたかれたときにはいつも可聴音声を発生することのできる音声発生源が付加的に内蔵されていてもよい。
【００３６】
以上のいくつかの好ましい実施形態の詳細な説明からわかるように、この発明によれば、自分のタイミングおよび反射神経を向上させたいと願うサッカー選手のための多目的練習装置が提供される。
【００３７】
先に説明されたように、この装置は１つ以上のコンピュータ用プログラムによって制御されるが、このプログラムは、その好ましい実施形態では、使用者が相異なる難易度で自分の成果を監視することができ、それによって、この練習装置の繰り返し使用を通して競争することのできる固定型尺度を使用者に与えることができる少なくとも１つのプログラムを含んでいる。例えば、選択された技能水準が高ければ高いほど、高得点を獲得するためにより多くのボールパッド３をうまく蹴らなければならない、所定の時間内に打つ必要のあるボールパッド３３の数を変更することは可能である。例えば、アマチュアが、１分間に６０個のパッドを蹴らなければならない容易な技能水準を選択するのに対して、経験豊富な選手は、例えば１分間に１２０個のパッドを蹴らなければならないいっそう高い技能水準を選択するかもしれない。第２のプログラムによれば、使用者は自分の反応速度を評価することができる。
【００３８】
説明されなかったが特許請求の範囲にやはり含まれるであろう、この装置についての多くの修正および変形が存在する、ということは予想される。
【図面の簡単な説明】
【００３９】
【図１】図１は、この発明に係る組立ずみ装置の前方斜視図を示している。
【図２】図２は、図１に示された組立ずみ装置の部品を形成している１つのモジュールの斜視図を示している。
【図３】図３は、図２に示された１つのモジュールの分解斜視図を示している。
【図４】図４は、図２に示されたモジュールの断面図を示している。
【図５】図５は、図２に示されたモジュールの切欠斜視図を示している。
【国際公開パンフレット】
2005505389.tif 000003
2005505389.tif 000004
2005505389.tif 000005
2005505389.tif 000006
2005505389.tif 000007
2005505389.tif 000008
2005505389.tif 000009
2005505389.tif 000010
2005505389.tif 000011
2005505389.tif 000012
2005505389.tif 000013
2005505389.tif 000014
2005505389.tif 000015
2005505389.tif 000016
2005505389.tif 000017
2005505389.tif 000018
2005505389.tif 000019
2005505389.tif 000020
【国際調査報告】
2005505389.tif 000021
2005505389.tif 000022
2005505389.tif 000023